(57)【要約】【課題】横方向に隣り合う壁パネルの接合部をより目立たなくするための新規な技術を提案する。【解決手段】模様部１０により表面模様６が形成される長方形状の壁パネル１において、模様部１０と目地部（縦目地部２０，横目地部３０）が壁パネル１の長辺方向（図１のＸ方向）および短片方向（図１のＹ方向）で交互に配置されており、長辺方向の或る位置において、短辺方向のいずれかの位置の模様部１０には、窪み部４０が形成されることで、長辺方向において、窪み部４０がいずれの位置にも存在する、壁パネル１とする。【選択図】図１
2015105521.tif 000002
【特許請求の範囲】
【請求項１】
模様部により表面模様が形成される長方形状の壁パネルにおいて、
模様部と目地部が壁パネルの長辺方向および短片方向で交互に配置されており、
前記長辺方向の或る位置において、前記短辺方向のいずれかの位置の前記模様部には、窪み部が形成される、
ことを特徴とする壁パネル。
【請求項２】
前記長辺方向に並ぶ前記模様部で構成される少なくとも一つの行において、
前記長辺方向の両端部にそれぞれ前記窪み部が配置される、
ことを特徴とする請求項１に記載の壁パネル。
【発明の詳細な説明】
【技術分野】
【０００１】
本発明は、住宅などの建物の外装や内装の美観を向上させるための技術に関するものであり、より詳しくは、外装や内装の壁を構成する壁パネルの構造に関する。
【背景技術】
【０００２】
従来、住宅などの建物の外装（外壁）や内装（室内壁、通路壁など）において、板状（壁パネル状）の壁パネルを並設することで、外装や内装の壁を構成することが行われている。隣り合う壁パネルは接合され、外観において連続した一連の壁表面が形成される。
【０００３】
おもて面に凹凸を施すことでタイル調、レンガ調、石調とする壁パネルも知られており、例えば、各凸模様部の間に縦横の目地が構成される壁パネルが知られている（例えば、特許文献１参照）。
【０００４】
特許文献１では、壁パネル（建築用板）のおもて面に、ほぼ方形状の凸模様部を有するものについて、左右（横方向）に隣り合う壁パネルの境界部（接合部）で、分割された凸模様部を構成しないための技術について開示している。
【先行技術文献】
【特許文献】
【０００５】
【特許文献１】特開２００２−３８６９１号公報
【発明の概要】
【発明が解決しようとする課題】
【０００６】
特許文献１に開示されるような技術は、予め工場などで加工された壁パネルをそのままの状態で施工現場で使用する、つまり、施工現場での横幅寸法調整のための切断加工をせずに使用する場合について適用できる技術である。
【０００７】
このため、施工現場の情況に合わせて壁パネルの横幅を縮小するための切断加工がされる場合には、特許文献１に開示される技術は対応できないものとなる。
【０００８】
例えば、縦４５５ｍｍ×横１８２０ｍｍの寸法を有する壁パネルを利用する場合において、施工現場にて横幅寸法を縮小する切断加工がされる場合には、縮小された後の横幅寸法が予測できないため、切断箇所において凸模様部がどのような形で残るのかは予測できない。
【０００９】
そして、横方向に隣り合う壁パネルの接合部（左右境界部や出隅材との取り合い部など）には、上下方向（縦方向）に伸びる縦ライン（目地）が形成されることになるが、この縦ラインは目立たないことが好ましい。壁パネルの接合部の縦ラインが目立ってしまうと、外壁の美観を損なうことになり、また、施工上の不具合であるがごとくの印象を与えてしまうためである。
【００１０】
ここで、図１１に示すように、溝部９３で四方を囲まれた凸模様部９４を配置する表面を有する壁パネル９１，９２について、施工現場にて横幅寸法を縮小する切断加工がされた際には、切断箇所にバリ９５が生じることになる。
【００１１】
そこで、このバリ９５を除去する面取り加工（バリ取り加工）が必要となるが、この面取り加工がされると、凸模様部９４の端部において幅Ｗ１の面取部９６が形成されることになる。
【００１２】
その後、この面取部９６が形成された壁パネル９１，９２同士が接合されると、二つの面取部９６によって二倍の幅Ｗ２を有する連続面取部９８が形成されることになる。
【００１３】
そして、この連続面取部９８が上下方向に並んで配置されてしまうと、広い幅Ｗ２を有する一連の縦ライン９９が形成されてしまうことになり、看者の注意を引いてしまい、接合部をより目立たせてしまうことになる。
【００１４】
特に、表面が着色された凸模様部９４が面取り加工されることで、着色されていない面取部９６が形成されてしまう場合には、凸模様部９４の色と面取部９６のコントラストにより、連続面取部９８（縦ライン９９）を含む接合箇所９７がより際立ってしまうことになる。
【００１５】
そこで、本発明は、以上の問題に鑑み、横方向に隣り合う壁パネルの接合部をより目立たなくするための新規な技術を提案する。
【課題を解決するための手段】
【００１６】
本発明の解決しようとする課題は以上の如くであり、次にこの課題を解決するための手段を説明する。
【００１７】
即ち、請求項１に記載のごとく、模様部により表面模様が形成される長方形状の壁パネルにおいて、模様部と目地部が壁パネルの長辺方向および短片方向で交互に配置されており、前記長辺方向の或る位置において、前記短辺方向のいずれかの位置の前記模様部には、窪み部が形成される、こととする。
【００１８】
また、請求項２に記載のごとく、前記長辺方向に並ぶ前記模様部で構成される少なくとも一つの行において、前記長辺方向の両端部にそれぞれ前記窪み部が配置される、こととする。
【発明の効果】
【００１９】
本発明の効果として、以下に示すような効果を奏する。
【００２０】
即ち、請求項１に記載の発明においては、施工現場で壁パネルの切断加工を行った場合に、壁パネルの切断端部の少なくとも一つの行には、模様部の表面よりも低い窪み部を配置することができる。そして、連続面取部を構成する行が発生したとしても、連続面取部が構成されない分断行を少なくとも一つ構成することができる。
【００２１】
また、請求項２に記載の発明においては、施工現場での切断加工が行われずに搬入された壁パネルをそのまま用いる場合においては、「窪み部」と「窪み部」による低×低接合箇所が必ず実現されて分断行を構成することができる。
【図面の簡単な説明】
【００２２】
【図１】本発明の一実施例に係る壁パネルの構成について示す図。
【図２】複数の壁パネルを並べて設置した状態について示す図。
【図３】表面模様等について説明する図。
【図４】連続目地部等について説明する図。
【図５】（Ａ）は、行の右端部において隆起部、窪み部が配置される場合について示す図。（Ｂ）は、行の右端部において窪み部、窪み部が配置される場合について示す図。
【図６】切断加工後の壁パネルの断面の一例を示す図。
【図７】（Ａ）は、切断加工後にバリが生じる様子について示す図。（Ｂ）は、面取り加工されて面取部が形成された状態について示す図。
【図８】（Ａ）は、連続面取部が形成される状態について示す図。（Ｂ）は、既存面取部が形成される場合について示す図。（Ｃ）は、隆起部と窪み部が隣り合う場合について示す図。（Ｄ）は、窪み部と窪み部が隣り合う場合について示す図。
【図９】窪み部の配置の一実施例について示す図。
【図１０】分断行が形成される様子について示す図。
【図１１】面取り箇所が隣り合って連続面取部が形成される様子について示す図。
【発明を実施するための形態】
【００２３】
以下図面を参照し、より詳細に説明する。
図１及び図２に示すごとく、壁パネル１は、縦寸法よりも横寸法が長い長方形状のパネルにて構成される。複数の壁パネル１の上下の端部同士、左右の端部同士を接合することで、連続した一連の壁面を構成できるようになっている。
【００２４】
壁パネル１の左右の縦端辺２ａ，２ｂや上下の横端辺４ａ，４ｂには合抉部が形成され、隣り合う壁パネル１を実嵌合（実接合）できるようになっている。
【００２５】
なお、壁パネル１の四辺の全てに合抉部を構成して四辺合抉接合がされる構成とするほか、壁パネル１の三辺に合抉部を構成して三辺合抉接合がされる構成としてもよい。
【００２６】
また、以下の実施例においては、横方向に隣り合う壁パネル１同士は、実嵌合や接合金具などを用いる乾式結合（乾式シーリング）の例を用いて説明するが、シーリング材を用いた湿式結合（湿式シーリング）についても本発明を適用することができる。
【００２７】
また、以下の実施例においては、壁パネル１同士の接合について説明するが、壁パネル１と同様の表面模様６を有する出隅用パネルと壁パネルを接合する場合にも、本発明は適用できる。
【００２８】
図１及び図２に示すように、本実施例の壁パネル１は窯業系サイディングにて構成されており、表面に複数の模様部１０が縦方向（上下方向）、横方向（左右方向）に配設されることで、模様部１０を有してなる表面模様６が構成される。この表面模様６は、プレス機械にてプレスパターンを転写することで形成される。
【００２９】
図１に示すごとく、表面模様６は、横方向の一まとまりの行６１，６２を、上下方向に複数行並べて構成される。各行６１，６２において、隣り合う模様部１０の間には、壁パネル１の厚み方向において模様部１０よりも低い位置に縦目地部２０が縦方向に形成される。また、各行６１，６２の間には、壁パネル１の厚み方向において模様部１０よりも低い位置に横目地部３０が横方向に形成される。
【００３０】
各模様部１０は、縦目地部２０と横目地部３０によって周囲を囲まれることで画成され、それぞれが略方形状の単位形状（全体としてパターンを構成するための一要素）をなすように設計されている。
【００３１】
図３に示す実施例の模様部１０は、その表面において凹凸を有する立体的平面を構成する。より具体的には、その表面に窪み部４０を形成し、残りの部位を隆起部５０として残すことにより、自然石の石積みを模した立体的な意匠を構成することとしている。
【００３２】
図１乃至図４に示すごとく、表面模様６にはダミー目地部を構成する連続目地部２５が形成される。この連続目地部２５は、縦目地部２０を上下に隣り合う少なくとも二つの行６１，６２を上下方向に横断するように一直線に通すことで形成される。本実施例では、三つの行６１，６２，６３を横断することで、三つの行６１，６２，６３を跨ぐ一連の連続目地部２５が形成されている。
【００３３】
このような連続目地部２５は、他の部位の縦目地部２０と異なり、上下方向の幅が広いため看者の視線を集中させる効果が得られる。そして、この効果によって、壁パネル１を４枚接合した状態の図２に示すごとく、壁パネル１の接合部５の縦ライン５ａへの視線を連続目地部２５へと散らすことができ、壁パネル１の接合部５に形成され得る縦ライン５ａを目立ち難くすることができる。
【００３４】
なお、図２においては、連続目地部２５が形成される位置の一部を、楕円で囲んで表現している。このように、連続目地部２５が壁パネル１の複数箇所に点在するように配置されることで、視線を散らし易くなるといった効果が得られる。
【００３５】
以上のように構成される壁パネル１は、施工現場に搬入されたままの状態で使用されるほか、施工現場の状況に合わせて切断加工を行い、横幅寸法調整を実施することが想定される。
【００３６】
ここで、切断加工後の横幅寸法は施工現場において決められるため、切断加工後の壁パネル１の横方向端部（縦辺部）の模様部１０は、切断加工後の横幅寸法に応じて形成されることになる。
【００３７】
このため、例えば、図５（Ａ）のように、行６１，６２の右端部において、それぞれ窪み部４０、隆起部５０が配置される場合や、図５（Ｂ）のように、行６１，６２の右端部において、それぞれ窪み部４０、窪み部４０が配置されることが考えられる。
【００３８】
図６は、切断加工後の壁パネル１の断面の一例を示すものである。上端部には表実部６４が形成され、下端部には裏実部６６が形成される。また、各行６１においては、隆起部５０、窪み部４０が切断箇所に応じて現れ、行６１の間には横目地部３０が現れる。
【００３９】
図６に示される上下方向の途中部に現れる行６１の凹凸は、プレス成型によるパターンの転写により形成される。一方で、表実部６４が形成される上端部の行６５の上端斜面６５ａや、裏実部６６が形成される下端部の行６７の下端斜面６７ａは、切削（カッティング）によって形成される。
【００４０】
このため、図６に示すごとく、上下端の行６５，６７の上端斜面６５ａ、下端斜面６７ａのエッジ箇所６５ｅ，６７ｅ（それぞれ模様部１０の上端側、下端側の角部）の角度（エッジ角）は、他のエッジ箇所６０ｅ（プレスにより形成されたままのエッジ箇所）と比べてより鋭くなる、つまり、より角が立った状態となる。
【００４１】
図７（Ａ）は、切断加工後に生じる横方向端部（右端部）のバリ５２について示すものであり、このバリ５２が面取り加工（バリ取り加工）によって除去される。この面取り加工は、作業者がヤスリなどで行うことが想定され、特に隆起部５０のバリ５２が大きく除去されて、図７（Ｂ）に示すように、幅Ｗ１の面取部５４が形成される。なお、窪み部４０についてはバリ５２が形成されない、或いは、形成されたとしても極微小であるため、面取り加工がされないことが想定される。
【００４２】
また、図８（Ａ）に示すように、切断加工された壁パネル１Ａ，１Ｂ同士を左右方向に切断した場合、行６１において隆起部５０が隣り合う場合には、幅Ｗ１の面取部５４同士が向き合い、略Ｖ字溝をなす幅の広い連続面取部５６が形成されることになる。
【００４３】
また、図８（Ｂ）に示すように、例えば、一方の壁パネル１Ｂが切断加工がされていない場合であって、施工現場において搬入された状態のまま使用される場合であっても、工場での製作時において形成されたり、或いは、面取部５４と同様の外観を生じさせる凸模様部の傾斜面部が、既存面取部５５として接合部５に配置される場合には、行６１において、この既存面取部５５が切断加工された面取部５４と隣り合い、略Ｖ字溝をなす幅の広い連続面取部５６が形成されることになる。
【００４４】
また、図８（Ｃ）に示すように、切断加工された壁パネル１Ａ，１Ｂ同士の接合部５において、行６１において隆起部５０と窪み部４０が隣り合う場合には、幅Ｗ１の面取部５４のみが接合部５に現れることになる。
【００４５】
さらに、図８（Ｄ）に示すように、切断加工された壁パネル１Ａ，１Ｂ同士の接合部５において、行６１において窪み部４０と窪み部４０が隣り合う場合には、接合部５に面取部５４が現れない情況となる。
【００４６】
以上の構成において、さらに以下の点に特徴的な構成を有する。
即ち、図１、図３、及び、図９に示すごとく、模様部１０により表面模様６が形成される長方形状の壁パネル１において、模様部１０と目地部（縦目地部２０，横目地部３０）が壁パネル１の長辺方向（図１のＸ方向）および短片方向（図１のＹ方向）で交互に配置されており、長辺方向の或る位置において、短辺方向のいずれかの位置の模様部１０には、窪み部４０が形成されることで、長辺方向において、窪み部４０がいずれの位置にも存在する、壁パネル１とする。
【００４７】
換言すれば、凹凸により表面模様６が形成されている方形状の壁パネル１であって、表面模様６は、複数の模様部１０と、複数の縦目地部２０を交互に横方向に配設してなる複数の行（６１等）を、横目地部３０を挟んで上下方向に配設して構成されており、各行の少なくとも一つの模様部１０は、当該模様部１０の表面よりも低い窪み部４０であって、各行の上下の横目地部３０を連続させるように構成される窪み部４０を有し、窪み部４０が、壁パネル１の横方向の全範囲において、いずれの位置においても存在するように配置される、こととしている。
【００４８】
図３に示すごとく、行６２の窪み部４０の例を用いて説明すると、行６２は、上下の横目地部３０を挟んで行６１，６３と隣り合っている。例えば、点線で囲む領域Ｒにおいて、模様部１０の表面を窪ませてなる窪み部４０が形成され、この窪み部４０が上下の横目地部３０と連続するように構成されている。
【００４９】
ここで、窪み部４０が上下の横目地部３０と連続することで、行６２の縦幅（上下方向）の全範囲において、窪み部４０が存在することになる。なお「連続」とは、窪み部４０の一番低いところと横目地部がほぼ同じくらいの高さ、もしくは微差であって連続しているように見えることを意味する。
【００５０】
また、図９に示すごとく、窪み部４０が、壁パネル１の横方向の全範囲において、いずれの位置においても存在するように配置することで、壁パネル１を横幅方向においてどの位置で切断しても、必ず、窪み部４０が端部に現れる表面模様６を具備することとするものである。
【００５１】
例えば、図９の例において、切断位置Ｓ１で切断した場合には、行６９ｃ，６９ｅ，６９ｈの切断箇所（横方向端部）において、窪み部４０が現れることになる。また、切断位置Ｓ２で切断した場合には、行６９ｆ，６９ｈの切断箇所（横方向端部）において、窪み部４０が現れることになる。
【００５２】
なお、窪み部４０は、各行の模様部１０に構成されるものであるが、その配置については特に限定されるものではなく、上下の行の窪み部４０が互いに対向するように配置されることとするほか、窪み部４０がランダムに配置されて上下の行の窪み部４０が互いに対向しないように配置するなど、特に限定されるものでない。つまり、壁パネル１の横方向の全範囲において、いずれの位置においても窪み部４０が配置されるものであればよい。
【００５３】
以上の構成により、図９に示すごとく、施工現場で壁パネル１の切断加工を行った場合に、壁パネル１の切断端部の少なくとも一つの行６１ａ〜６１ｉには、模様部１０の表面よりも低い窪み部４０を配置することができる。
【００５４】
そして、図８に示すごとく、横方向に隣り合う壁パネル１Ａ，１Ｂの接合部５においては、「隆起部５０」と「窪み部４０」による高×低接合箇所（図８（Ｃ））、或いは、「窪み部４０」と「窪み部４０」による低×低接合箇所（図８（Ｄ））のいずれかの接合箇所が構成されることになり、隆起部５０の面取部５４同士が横方向に並んでしまい、略Ｖ字溝をなす幅の広い連続面取部５６（図８（Ａ）（Ｂ））が構成されることがない。
【００５５】
これにより、図１０に示すごとく、連続面取部５６を構成する行６９ｃ，６９ｄ，６９ｆが発生したとしても、連続面取部５６が構成されない分断行６９ｂ，６９ｅを少なくとも一つ構成することができる。
【００５６】
なお、分断行６９ｂでは、「隆起部５０」と「窪み部４０」による高×低接合箇所による分断行が構成され、分断行６９ｅでは、「窪み部４０」と「窪み部４０」による低×低接合箇所による分断行が構成される。
【００５７】
そして、幅の広い連続面取部５６を分断行６９ｂ，６９ｅで分断することで、連続面取部５６が上下方向に長く連続してしまうことがなく、接合部５の縦ライン５ａが目立ってしまうことを効果的に防止できる。
【００５８】
また、図９に示すごとく、さらに好ましい実施例として、長辺方向に並ぶ模様部１０で構成される少なくとも一つの行６９ａ〜６９ｉにおいて、長辺方向の両端部にそれぞれ窪み部４０が配置される、こととする。
【００５９】
換言すれば、各行６９ａ〜６９ｉの少なくとも一つにおいて、横方向の両端部にそれぞれ窪み部４０が配置される、こととしている。
【００６０】
本実施例では、行６９ａ，６９ｅにおいて、左右の縦辺部２ａ，２ｂに窪み部４０がそれぞれ配置されることとしており、施工現場での切断加工が行われずに搬入された壁パネルをそのまま用いる場合においては、図８（Ｄ）に示されるように、「窪み部４０」と「窪み部４０」による低×低接合箇所が必ず実現されて分断行６９ｅ（図１０）を構成することができる。
【００６１】
加えて、この場合、図１０の右側の壁パネル１Ａの行６９ａに示すごとく、端部の模様部１０に予め既存面取部５５が形成されており、この既存面取部５５と施工現場で形成された面取部５４が隣り合って幅の広い連続面取部５６が構成されてしまうような場合であっても、連続面取部５６を分断行６９ｂによって分断することができ、接合部５の縦ライン５ａが目立ってしまうことを効果的に防止できる。
【産業上の利用可能性】
【００６２】
本発明は、住宅などの建物の外装（外壁）や内装（室内壁、通路壁など）を形成するための壁パネルについて幅広く適用可能である。
【符号の説明】
【００６３】
１    壁パネル
５    接合部
５ａ    縦ライン
６    表面模様
１０    模様部
２０    縦目地部
２５    連続目地部
３０    横目地部
５０    隆起部
５２    バリ
５４    面取部
５６    連続面取部
６１    行
【図１】
2015105521.tif 000003
【図２】
2015105521.tif 000004
【図４】
2015105521.tif 000005
【図６】
2015105521.tif 000006
【図７】
2015105521.tif 000007
【図８】
2015105521.tif 000008
【図９】
2015105521.tif 000009
【図１０】
2015105521.tif 000010
【図１１】
2015105521.tif 000011
【図３】
2015105521.tif 000012
【図５】
2015105521.tif 000013